【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
廃インク回収容器と、
前記廃インク回収容器の第１の廃インク導入口に接続された第１の合流チューブと、
第１のヘッドユニットのインクノズル面を覆う第１のキャップと、
前記第１のヘッドユニットと異なるインクを吐出する第２のヘッドユニットのインクノズル面を覆う第２のキャップと、
前記第１のキャップと前記第１の合流チューブとを接続する第１のチューブと、
前記第２のキャップと前記第１の合流チューブとを接続する第２のチューブと、
前記第１の合流チューブを経由して前記第１のキャップ内および前記第２のキャップ内を吸引する第１の吸引ポンプと、を備え、
前記廃インク回収容器は、容器本体と、前記廃インクを吸収するインク吸収材と、前記第１の合流チューブが接続される第１の廃インク導入口および該第１の合流チューブとは異なるチューブが接続される第２の廃インク導入口と、前記容器本体の内壁面に形成され、前記第１の廃インク導入口および前記第２の廃インク導入口から導入されたインクが流れ落ちる流路と、を有し、
前記インク吸収材は、前記流路との間に隙間を空けて配置され、前記第１の廃インク導入口および前記第２の廃インク導入口から導入されたインクは、前記廃インク回収容器の底部に到達する前に前記流路に設けられた合流部で合流することを特徴とする廃インク回収ユニット。
【請求項２】
前記廃インク回収容器に接続された第２の合流チューブと、
第３のヘッドユニットのインクノズル面を覆う第３のキャップと、
前記第３のヘッドユニットと異なるインクを吐出する第４のヘッドユニットのインクノズル面を覆う第４のキャップと、
前記第３のキャップと前記第２の合流チューブとを接続する第３のチューブと、
前記第４のキャップと前記第２の合流チューブとを接続する第４のチューブと、
前記第１の吸引ポンプと独立して駆動され、前記第２の合流チューブを経由して前記第３のキャップ内および前記第４のキャップ内を吸引する第２の吸引ポンプと、を備え、
前記廃インク回収容器は、前記第１の廃インク導入口と、前記第２の合流チューブが接続される前記第２の廃インク導入口と、を有することを特徴とする請求項１に記載の廃インク回収ユニット。
【請求項３】
前記第１のヘッドユニットはブラックインクを吐出し、前記第２のヘッドユニットはイエローインクを吐出し、
前記第１の合流チューブで、前記ブラックインクと前記イエローインクが混合されることを特徴とする請求項１に記載の廃インク回収ユニット。
【請求項４】
前記第３のヘッドユニットはシアンインクを吐出し、前記第４のヘッドユニットはマゼンダインクを吐出し、
前記第２の合流チューブで、前記シアンインクと前記マゼンダインクが混合されることを特徴とする請求項２に記載の廃インク回収ユニット。
【請求項５】
前記第１の混合インクは、ブラックインクとイエローインクを混合させたものであり、
前記第２の混合インクは、シアンインクとマゼンダインクを混合させたものであることを特徴とする請求項４に記載の廃インク回収ユニット。
【請求項６】
第１のヘッドユニットおよび前記第１のヘッドユニットと異なるインクを吐出する第２のヘッドユニットを備えるインクジェットヘッドと、
前記第１のヘッドユニットのインクノズル面を覆う第１のキャップと、
前記第２のヘッドユニットのインクノズル面を覆う第２のキャップと、
廃インク回収容器と、前記廃インク回収容器の第１の廃インク導入口に接続された第１の合流チューブと、前記第１のキャップと前記第１の合流チューブとを接続する第１のチューブと、前記第２のキャップと前記第１の合流チューブとを接続する第２のチューブと、前記第１の合流チューブを経由して前記第１のキャップ内および前記第２のキャップ内を吸引する第１の吸引ポンプと、を有する廃インク回収ユニットと、を備え、
前記廃インク回収ユニットの前記廃インク回収容器は、前記第１の合流チューブが接続される第１の廃インク導入口および該第１の合流チューブとは異なるチューブが接続される第２の廃インク導入口と、前記第１の廃インク導入口および前記第２の廃インク導入口から導入されたインクが流れ落ちる流路と、を有し、
前記第１の廃インク導入口および前記第２の廃インク導入口から導入されたインクは、前記廃インク回収容器の底部に到達する前に前記流路に設けられた合流部で合流することを特徴とするプリンター。
【請求項７】
前記廃インク回収ユニットは、
前記廃インク回収容器に接続された第２の合流チューブと、
第３のヘッドユニットのインクノズル面を覆う第３のキャップと、
前記第３のヘッドユニットと異なるインクを吐出する第４のヘッドユニットのインクノズル面を覆う第４のキャップと、
前記第３のキャップと前記第２の合流チューブとを接続する第３のチューブと、
前記第４のキャップと前記第２の合流チューブとを接続する第４のチューブと、
前記第１の吸引ポンプと独立して駆動され、前記第２の合流チューブを経由して前記第３のキャップ内および前記第４のキャップ内を吸引する第２の吸引ポンプと、を有し、
前記廃インク回収容器は、前記第１の廃インク導入口と、前記第２の合流チューブが接続される前記第２の廃インク導入口と、を有することを特徴とする請求項６に記載のプリンター。
【請求項８】
第１のヘッドユニットのインクノズル面を第１のキャップで覆い、且つ、前記第１のヘッドユニットと異なるインクを吐出する第２のヘッドユニットのインクノズル面を第２のキャップで覆う第１ステップと、
第１の吸引ポンプを駆動して、第１のチューブを経由して前記第１のキャップ内を吸引し、且つ、第２のチューブを経由して前記第２のキャップ内を吸引し、前記第１のキャップ内から吸引した第１の廃インク、および、前記第２のキャップ内から吸引した第２の廃インクを前記第１のチューブおよび前記第２のチューブが合流した第１の合流チューブ内で混合させた第１の混合インクを、第１の廃インク導入口から廃インク回収容器に回収するとともに、前記第１の混合インクとは異なるインクを第２の廃インク導入口から前記廃インク回収容器に回収する第２ステップと、
前記第１の廃インク導入口から回収された第１の混合インクおよび前記第２の廃インク導入口から回収された前記第１の混合インクとは異なるインクを、前記廃インク回収容器内に設けられる流路により前記廃インク回収容器の底部に到達する前に合流させて混合する第３ステップを行うことを特徴とする廃インク回収方法。
【請求項９】
前記第１ステップでは、
第３のヘッドユニットのインクノズル面を第３のキャップで覆い、且つ、前記第３ヘッドユニットと異なるインクを吐出する第４のヘッドユニットのインクノズル面を第４のキャップで覆い、
前記第２ステップでは、
前記第１の混合インクを前記第１の廃インク導入口から前記廃インク回収容器に回収するとともに、
第２の吸引ポンプを駆動して、第３のチューブを経由して前記第３のキャップ内を吸引し、且つ、第４のチューブを経由して前記第４のキャップ内を吸引し、前記第３のキャップ内から吸引した第３の廃インク、および、前記第４のキャップ内から吸引した第４の廃インクを前記第３のチューブおよび前記第４のチューブが合流した第２の合流チューブ内で混合させた第２の混合インクを、前記第２の廃インク導入口から前記廃インク回収容器に回収することを特徴とする請求項８に記載の廃インク回収方法。
【手続補正２】
【補正対象書類名】明細書
【補正対象項目名】０００７
【補正方法】変更
【補正の内容】
【０００７】
上記の課題を解決するために、本発明の廃インク回収ユニットは、廃インク回収容器と、前記廃インク回収容器の第１の廃インク導入口に接続された第１の合流チューブと、第１のヘッドユニットのインクノズル面を覆う第１のキャップと、前記第１のヘッドユニットと異なるインクを吐出する第２のヘッドユニットのインクノズル面を覆う第２のキャップと、前記第１のキャップと前記第１の合流チューブとを接続する第１のチューブと、前記第２のキャップと前記第１の合流チューブとを接続する第２のチューブと、前記第１の合流チューブを経由して前記第１のキャップ内および前記第２のキャップ内を吸引する第１の吸引ポンプと、を備え、前記廃インク回収容器は、容器本体と、前記廃インクを吸収するインク吸収材と、前記第１の合流チューブが接続される第１の廃インク導入口および該第１の合流チューブとは異なるチューブが接続される第２の廃インク導入口と、前記容器本体の内壁面に形成され、前記第１の廃インク導入口および前記第２の廃インク導入口から導入されたインクが流れ落ちる流路と、を有し、前記インク吸収材は、前記流路との間に隙間を空けて配置され、前記第１の廃インク導入口および前記第２の廃インク導入口から導入されたインクは、前記廃インク回収容器の底部に到達する前に前記流路に設けられた合流部で合流することを特徴とする。